(57)【特許請求の範囲】
【請求項１】
音出力端末の下端側を収容する収容穴と、
メガフォン状に形成されたメガフォン部を有し、前記収容穴に収容された前記音出力端末の出力音を、手前側に向けて大きくする音増大部と、
前記音増大部に対して係合することにより前記音増大部に取り付けられ、前記収容穴に収容された前記音出力端末を奥側から支える背板と、
を備え、
前記背板は、前記音出力端末の出力音を大きくする振動板を兼用する音出力端末スタンド。
【請求項２】
請求項１に記載の音出力端末スタンドにおいて、
前記背板は、前記音出力端末に対応した大きさであること、
を特徴とする音出力端末スタンド。
【請求項３】
請求項１又は請求項２に記載の音出力端末スタンドにおいて、
前記音増大部は、前記メガフォン部及び背板をこの音出力端末スタンドの設置面から浮かせる足部を備えること、
を特徴とする音出力端末スタンド。
【請求項４】
請求項１から請求項３のいずれかに記載の音出力端末スタンドにおいて、
前記音増大部は、
下板と、
上板と、
前記下板及び前記上板の左右にそれぞれ設けられ、前記下板及び前記上板に係合する２つの側板とを備え、
前記２つの側板は、前記下板に対して、前記下板及び２つの側板の間の係合部の構造に対応した角度だけ略奥行方向の軸回りに回転可能、又は撓み可能に接続され、
前記背板は、前記２つの側板に係合することにより、前記２つの側板が前記下板に対して略奥行方向の軸回りに回転しないように、又は撓まないように規制し、
前記上板は、前記２つの側板に係合し、奥側の縁部から手前側に至る程外側に至るように設けられ、前記背板が取り付けられていない状態において前記２つの側板を略奥行方向の軸回りに回転又は撓むことにより前記２つの側板に挿入可能なスリットを備えること、
を特徴とする音出力端末スタンド。
【請求項５】
請求項４に記載の音出力端末スタンドにおいて、
前記下板は、左右のそれぞれに配置され、後端から手前側に略奥行方向に向けて設けられたスリットを備え、
前記２つの側板は、下板のスリットに対応した位置に設けられ、先端から奥側に略奥行方向に向けて設けられたスリットを備え、
前記下板と、前記２つの側板とは、前記下板の左右のスリットと、前記２つの側板の各スリットとの位置を合わせて差し込まれることにより、接続されること、
を特徴とする音出力端末スタンド。
【請求項６】
請求項１から請求項５のいずれかに記載の音出力端末スタンドにおいて、
前記音増大部は、
下板と、
上板と、
前記下板及び前記上板の左右にそれぞれ設けられ、前記下板及び前記上板に係合する２つの側板とを備え、
前記下板は、左右のそれぞれに配置され、後端から手前側に略奥行方向に向けて設けられたスリットを備え、
前記上板は、左右のそれぞれに配置され、後端から手前側に略奥行方向に向けて設けられたスリットを備え、
前記２つの側板は、
前記下板のスリットに対応した位置に設けられ、先端から奥側に略奥行方向に向けて設けられたスリットと、
前記上板のスリットに対応した位置に設けられ、先端から奥側に略奥行方向に向けて設けられたスリットと、
前記下板と、前記２つの側板とは、前記下板の左右のスリットと、前記２つの側板の各スリットとの位置を合わせて差し込まれることにより接続され、
前記上板と、前記２つの側板とは、前記上板の左右のスリットと、前記２つの側板の各スリットとの位置を合わせて差し込まれることにより接続され、
前記下板と、前記上板と、前記２つの側板の手前側から見た形状は、それぞれの端部が突出した格子状であること、
を特徴とする音出力端末スタンド。
【請求項７】
請求項４から請求項６のいずれかに記載の音出力端末スタンドの組み立て板材セットであって、
前記背板と、前記２つの側板と、前記上板と、前記下板とを備えること、
を特徴とする音出力端末スタンドの組み立て板材セット。
【発明の詳細な説明】
【技術分野】
【０００１】
本発明は、音出力端末の出力音を大きくする音出力端末スタンド、音出力端末スタンドの組み立て板材セットに関するものである。
【背景技術】
【０００２】
従来、携帯機器を挿着することにより、携帯機器の音量を高める携帯機器用拡声具があった（例えば特許文献１）。
しかし、従来の携帯機器用拡声具は、箱状の部材であるため、保管時、輸送時等にかさばったりして、利便性が悪かった。
【先行技術文献】
【特許文献】
【０００３】
【特許文献１】実用新案登録第３１８７５９９号公報
【発明の概要】
【発明が解決しようとする課題】
【０００４】
本発明の課題は、利便性のよい音出力端末スタンド、音出力端末スタンドの組み立て板材セットを提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、音出力端末（９０）の下端側を収容する収容穴（５０，３５０）と、メガフォン状に形成されたメガフォン部（６０，３６０）を有し、前記収容穴に収容された前記音出力端末の出力音を、手前側に向けて大きくする音増大部（１０，２０，３０，２１０，２３０，３１０）と、前記音増大部に対して係合することにより前記音増大部に取り付けられ、前記収容穴に収容された前記音出力端末を奥側から支える背板（４０，３４０）と、を備える音出力端末スタンドである。
・第２の発明は、第１の発明の音出力端末スタンドにおいて、前記背板（４０，３４０）は、前記音出力端末（９０）に対応した大きさであり、前記音出力端末の出力音を大きくする振動板を兼用すること、を特徴とする音出力端末スタンドである。
・第３の発明は、第１又は第２の発明の音出力端末スタンドにおいて、前記音増大部（１０，２０，３０，２１０，２３０）は、前記メガフォン部（６０）及び背板（４０）をこの音出力端末スタンドの設置面（９１）から浮かせる足部（５，２３１）を備えること、を特徴とする音出力端末スタンドである。
・第４の発明は、第１から第３のいずれかの発明の音出力端末スタンドにおいて、前記音増大部は、下板（１０，２１０）と、上板（２０）と、前記下板及び前記上板の左右にそれぞれ設けられ、前記下板及び前記上板に係合する２つの側板（３０，２３０）とを備え、前記２つの側板は、前記下板に対して、前記下板及び２つの側板の間の係合部（Ｓ１１，Ｓ２１，２１１，２２１）の構造に対応した角度だけ略奥行方向の軸回りに回転可能、又は撓み可能に接続され、前記背板（４０）は、前記２つの側板に係合することにより、前記２つの側板が前記下板に対して略奥行方向の軸回りに回転しないように、又は撓まないように規制し、前記上板は、前記２つの側板に係合し、奥側の縁部から手前側に至る程外側に至るように設けられ、前記背板が取り付けられていない状態において前記２つの側板を略奥行方向の軸回りに回転又は撓むことにより前記２つの側板に挿入可能なスリット（Ｓ２２）を備えること、を特徴とする音出力端末スタンドである。
・第５の発明は、第４の発明の音出力端末スタンドにおいて、前記下板（１０）は、左右のそれぞれに配置され、後端から手前側に略奥行方向に向けて設けられたスリット（Ｓ１１）を備え、前記２つの側板（３０）は、前記下板のスリットに対応した位置に設けられ、先端から奥側に略奥行方向に向けて設けられたスリット（Ｓ３１）を備え、前記下板と、前記２つの側板とは、前記下板の左右のスリットと、前記２つの側板の各スリットとの位置を合わせて差し込まれることにより、接続されること、を特徴とする音出力端末スタンドである。
・第６の発明は、第１から第５のいずれかの発明の音出力端末スタンドにおいて、前記音増大部は、下板（１０）と、上板（２０）と、前記下板及び前記上板の左右にそれぞれ設けられ、前記下板及び前記上板に係合する２つの側板（３０）とを備え、前記下板は、左右のそれぞれに配置され、後端から手前側に略奥行方向に向けて設けられたスリット（Ｓ１１）を備え、前記上板は、左右のそれぞれに配置され、後端から手前側に略奥行方向に向けて設けられたスリット（Ｓ２２）を備え、前記２つの側板は、前記下板のスリットに対応した位置に設けられ、先端から奥側に略奥行方向に向けて設けられたスリット（Ｓ３１）と、前記上板のスリットに対応した位置に設けられ、先端から奥側に略奥行方向に向けて設けられたスリット（Ｓ３２）と、前記下板と、前記２つの側板とは、前記下板の左右のスリットと、前記２つの側板の各スリットとが互いに差し込まれることにより接続され、前記上板と、前記２つの側板とは、前記上板の左右のスリットと、前記２つの側板の各スリットとが互いに差し込まれることにより接続され、前記下板と、前記上板と、前記２つの側板の手前側から見た形状は、それぞれの端部が突出した格子状であること、を特徴とする音出力端末スタンドである。
・第７の発明は、第４から第６のいずれかの発明の音出力端末スタンドの組み立て板材セットであって、前記背板（４０）と、前記２つの側板（３０，２３０）と、前記上板（２０）と、前記下板（１０，２１０）とを備えること、を特徴とする音出力端末スタンドの組み立て板材セットである。
【発明の効果】
【０００７】
本発明によれば、利便性のよい音出力端末スタンド、音出力端末スタンドの組み立て板材セットを提供できる。
【図面の簡単な説明】
【０００８】
【図１】第１実施形態のスタンド１の斜視図である。
【図２】第１実施形態のスタンド１の分解斜視図である。
【図３】第１実施形態のスタンド１を上側Ｚ２から見た図（上面図）、左側Ｘ１から見た図（側面図）である。
【図４】第１実施形態の音に関する作用を説明する縦断面（図３（Ａ）の４−４部断面図）である。
【図５】第１実施形態の下板１０、上板２０、２つの側板３０、背板４０の係合部の取り付け構造を説明する図である。
【図６】第１実施形態のスタンド１を組み立てる工程を説明する図である。
【図７】第２実施形態のスタンド２０１を説明する図である。
【図８】第３実施形態のスタンド３０１を説明する図である。
【発明を実施するための形態】
【０００９】
（第１実施形態）
以下、図面等を参照して、本発明の第１実施形態について説明する。
図１は、第１実施形態のスタンド１の斜視図である。
図２は、第１実施形態のスタンド１の分解斜視図である。
図３は、第１実施形態のスタンド１を上側Ｚ２から見た図（上面図）、左側Ｘ１から見た図（側面図）である。
実施形態、図面では、説明と理解を容易にするために、ＸＹＺ直交座標系を設けた。この座標系は、図１の斜視図の状態を基準に、左右方向Ｘ（左側Ｘ１、右側Ｘ２）、奥行方向Ｙ（手前側Ｙ１、奥側Ｙ２）、鉛直方向Ｚ（下側Ｚ１、上側Ｚ２）を表す。
【００１０】
スタンド１（音出力端末スタンド）は、音出力端末９０を立て掛けるように載せることにより、倒れないように支えるものである。スタンド１は、机上等の水平な設置面９１（図３（Ｂ）参照）に設置される。後述するように、スタンド１は、音出力端末９０から出力された出力音を大きくすることができる。
スタンド１は、例えば、通常の工業製品として販売されたり、景品として配布されたりする。
【００１１】
音出力端末９０は、音を出力するスピーカ９０ａ（音出力部）の備える端末である。音出力端末９０は、音出力端末９０の所有者が携行可能なものであり、例えば、スマートフォン、タブレットＰＣ（パーソナルコンピュータ）、音楽プレイヤ等である。
このように、スタンド１及び音出力端末９０は、音出力端末９０をスタンド１に載せることにより、音出力システムとして使用されるものである。
【００１２】
［スタンド１の構成］
図１、図２に示すように、スタンド１は、下板１０、上板２０、２つの側板３０、背板４０、収容穴５０を備える。
下板１０、上板２０、２つの側板３０、背板４０は、同じ厚さの板材により形成される。板材の材料は、例えば、木材、紙材、樹脂等である。下板１０、上板２０、２つの側板３０、背板４０は、例えば、１枚の板材をレーザカット加工、プレス加工等によって切断して作製できる。
【００１３】
図３に示すように、下板１０は、スタンド１の下部に配置される。下板１０は、設置面９１と平行に配置される。
下板１０を左右方向Ｘから見た形状は、扇形の中心側を切断したような形状である。下板１０は、左右方向Ｘの端部が、２つの側板３０よりも外側に突出した形態で、２つの側板３０によって支持される。
上板２０は、下板１０よりも上側Ｚ２に配置される。上板２０は、手前側Ｙ１に至る程上側Ｚ２に至るように、傾斜している。
上板２０も、下板１０と同様に、扇形を切断したような形状であり、また、端部が外側に突出した形態で、２つの側板３０によって支持される。上板２０の外形は、下板１０よりも一回り小さい。
【００１４】
２つの側板３０は、上板２０、下板１０の左右にそれぞれ配置されている。２つの側板３０は、同一の形状である。側板３０を左右方向Ｘから見た形状は、弓形である。
２つの側板３０の間隔は、手前側Ｙ１に至る程、間隔が広くなる。但し、２つの側板３０のなす角θ３０は、一見した程度では略平行と認識できる程度に小さく、例えば１０°程度である。
２つの側板３０は、下端が下板１０よりも下側Ｚ１に突出している。この突出した部分の下面（弓形の弦の部分）は、設置面９１に当接する。つまり、この部分は、このスタンド１の足部５である。
【００１５】
図１に示すように、上記構成により、スタンド１の手前側Ｙ１の部分の形状は、下側Ｚ１から上側Ｚ２に向けて、外形が小さくなる階段状であり、かつ、手前側Ｙ１から奥側Ｙ２に向けて外形が小さくなる。また、この部分は、手前側Ｙ１から見ると、井桁状（つまり、下板１０、上板２０、２つの側板３０の端部が外側に突出した格子状）に形成される。
これにより、スタンド１は、看者に対して、すっきりとした印象を与えることができ、デザイン性を向上できる。
【００１６】
背板４０は、２つの側板３０に取り付けられる。
背板４０は、収容穴５０に収容された音出力端末９０を、奥側Ｙ２から支える。背板４０の外形は、手前側Ｙ１から見ると、音出力端末９０の外形よりも一回り大きい。つまり、背板４０の外形は、音出力端末９０の外形に対応した大きさである。このため、スタンド１は、音出力端末９０を、安定して支持できる。
背板４０は、奥側Ｙ２に至る程上側Ｚ２に至るように傾斜している。このため、音出力端末９０を立て掛けた状態では、音出力端末９０の表示装置９０ｂ（例えば液晶表示装置等）の表示面は、手前側Ｙ１かつ斜め上側を向く（図４参照）。これにより、表示装置９０ｂの表示面は、視認しやすい。
【００１７】
収容穴５０は、音出力端末９０の下端部を収容する部分である。収容穴５０は、上側Ｚ２に開口している。
収容穴５０は、２つの側板３０と、上板２０の後端部と、背板４０とに囲まれた有底の穴である。収容穴５０の底部は、下板１０の上面で構成される。上板２０の後端部は、立て掛けられた音出力端末９０の下端部が、手前側Ｙ１に移動しないように規制するストッパである。
収容穴５０の開口の外形は、音出力端末９０の横断面の外形よりも一回り大きい程度である。また、収容穴５０の深さは、下端部を収容できればよい程度であり、かつ、音出力端末９０の表示装置９０ｂを隠さない程度である。収容穴５０の深さは、例えば１０ｍｍ程度である。
収容穴５０の奥側Ｙ２には、背板４０によって内壁が形成され、また、収容穴５０の左右には、２つの側板３０によって内壁が形成される。一方、収容穴５０の手前側Ｙ１は、上板２０及び下板１０の間に、開口部が形成されている。この開口部は、分割されていない一体の開口形状であり、後述するメガフォン部６０を構成する。
【００１８】
［音に関する作用］
スタンド１の音に関する作用について説明する。
メガフォン部６０の作用について説明する。
上記構成により、上板２０、下板１０、２つの側板３０は、奥行方向Ｙに貫通孔を有する筒状であって、メガフォン状のメガフォン部６０を備える。
メガフォン部６０は、音出力端末９０の出力音の一部を手前側Ｙ１に集約することにより、手前側Ｙ１に向かう音量を大きくする。このため、音出力端末９０の出力音は、スタンド１の手前側Ｙ１において大きく聞こえ、また、スタンド１の手前側Ｙ１に遠くに届くようになる。
前述したように、上板２０は、手前側Ｙ１に至る程上側Ｚ２に至るように、傾斜して配置される。このため、鉛直方向Ｚにおいて、出力音は、メガフォン部６０によって、ある程度の広がりを持って、手前側Ｙ１に向かって発せられる。
【００１９】
一方、前述したように、２つの側板３０は、略平行に平行配置される。このため、メガフォン部６０による出力音の左右方向Ｘの指向性は、鉛直方向Ｚの指向性よりも狭い。なお、音出力端末９０の所有者は、通常は、表示装置９０ｂが自分に向くように配置する。このため、メガフォン部６０は、左右方向Ｘの出力音の指向性がある程度狭くても、音量を大きくする効果を、十分に発揮する。
このように、上板２０、下板１０、２つの側板３０は、音出力端末９０の出力音を、手前側Ｙ１に向けて大きくする音増大部として機能する。
【００２０】
背板４０の作用について説明する。
背板４０は、音出力端末９０の出力音を受けて振動し、出力音の音量を大きくする。つまり、背板４０は、音出力端末９０を支持する支持板と、音出力端末９０の出力音を大きくする振動板とを兼用する。
また、背板４０の外形は、前述したように音出力端末９０の外形に対応した大きさであるので、十分な大きさを有する。このため、背板４０は、振動板として十分な機能を発揮できる。
【００２１】
図４は、第１実施形態の音に関する作用を説明する縦断面（図３（Ａ）の４−４部断面図）である。
スタンド１は、スピーカ９０ａの配置が一般的である音出力端末９０であれば、上記音に関する作用を奏する。ここでは、３つの形態の音出力端末９０（９０Ａ，９０Ｂ，９０Ｃ）について説明する。
・図４（Ａ）：スピーカ９０ａが音出力端末９０Ａの下端にある形態
音出力端末９０Ａのスピーカ９０ａからの出力音は、主に、メガフォン部６０の入口に向かって出力される。このため、音出力端末９０Ａの出力音の主な部分は、メガフォン部６０によって増大される。また、音出力端末９０Ａのスピーカ９０ａからの出力音の一部は、背板４０を振動させて、背板４０によって増大される。
【００２２】
・図４（Ｂ）：スピーカ９０ａが音出力端末９０Ｂの下側Ｚ１の背面にある形態
音出力端末９０Ｂの出力音の一部は、音出力端末９０Ｂの下端を周り込むようにして、メガフォン部６０に向かう。このため、音出力端末９０Ｂの出力音の一部は、メガフォン部６０によって増大される。また、音出力端末９０Ｂのスピーカ９０ａからの出力音は、背板４０を振動させて、背板４０によって増大される。
【００２３】
・図４（Ｃ）：スピーカ９０ａが音出力端末９０Ｃの上側Ｚ２の背面にある形態
音出力端末９０Ｃのスピーカ９０ａからの出力音は、背板４０を振動させて、背板４０によって増大される。このため、音出力端末９０Ｃのスピーカ９０ａからの出力音は、背板４０を振動させて、背板４０によって増大される。
また、メガフォン部６０の入口に向かう成分は、図４（Ａ）、図４（Ｂ）の形態よりも少ないが、メガフォン部６０によって、ある程度は増大される。
【００２４】
このように、スタンド１は、スピーカ９０ａの位置が一般的な配置の音出力端末９０に対応できるので、例えば、背面にスピーカ９０ａがある音出力端末９０（図４（Ｂ）、図４（Ｃ）参照）についても、出力音を大きくすることができる。
また、メガフォン部６０の開口部が一体であるので、音出力端末９０のスピーカ９０ａが、左右方向Ｘのいずれの位置に配置されていても、対応できる。
実施形態とは異なり、開口部が分離したスタンドでは、音出力端末９０のスピーカ９０ａの位置に応じて、対応できない場合がある。例えば、左右方向Ｘにおいて、左右に分割された開口部を有するスタンド（つまり、中央に開口部を有さないスタンド）では、中央にスピーカ９０ａを有する音出力端末９０が載置された場合に、音を大きくする効果が低下してしまう。
【００２５】
さらに、足部５は、メガフォン部６０、背板４０を設置面９１から浮かせる。これにより、メガフォン部６０、背板４０は、設置面９１からの影響を低減できるので、音出力端末９０の出力音を大きくする効果を向上できる。
【００２６】
［各板材の取り付け構造］
図２、図５を参照しながら、各板材の取り付け構造について説明する。
図５は、第１実施形態の下板１０、上板２０、２つの側板３０、背板４０の係合部の取り付け構造を説明する図である。
図５（Ａ）は、上板２０及び２つの側板３０の係合部の形態を説明する断面図（図３（Ｂ）の５Ａ−５Ａ部断面図）である。
図５（Ｂ）は、下板１０及び２つの側板３０の係合部の形態を説明する断面図（図３（Ｂ）の５Ｂ−５Ｂ部断面図）である。
図５（Ｃ）は、下板１０、側板３０、背板４０の係合部の形態を拡大して説明する断面図（図３（Ｂ）の５Ｃ−５Ｃ部断面図）である。
【００２７】
図２に示すように、スタンド１は、各部材１０，２０，３０，４０に設けられたスリットＳ１１，Ｓ２２，Ｓ３１，Ｓ３２，Ｓ４３（係合部）によって、各部材１０，２０，３０，４０を接続することにより、組み立てることができる。スリットＳ１１，Ｓ２２，Ｓ３１，Ｓ３２，Ｓ４３の幅は、板材である各部材に挿入できるように、板材の厚みよりも少し大きい。なお、図５（Ｃ）、後述する図６（Ｃ）を除く図面は、便宜上、スリットＳ１１，Ｓ２２，Ｓ３１，Ｓ３２，Ｓ４３の幅と板材の厚みとを、同じ大きさで図示した。
【００２８】
下板１０は、２つのスリットＳ１１を左右に備える。スリットＳ１１は、奥側Ｙ２の縁部から手前側Ｙ１に至る程外側に至るように設けられている（図５（Ａ）参照）。
上板２０は、２つのスリットＳ２２を左右に備える。スリットＳ２２は、奥側Ｙ２の縁部から手前側Ｙ１に至る程外側に至るように設けられている（図５（Ｂ）参照）。
なお、スタンド１が組み立てられた状態において、下板１０のスリットＳ１１、上板２０のスリットＳ２２は、同一線上に位置する（図３（Ａ）参照）。スリットＳ１１，Ｓ２２は、両方とも側板３０に挿入されるためである。
背板４０は、２つのスリットＳ４３を左右に備える。スリットＳ４３は、下端から上側Ｚ２に、鉛直方向Ｚに平行に設けられている（図５（Ｃ）参照）。
【００２９】
図２に示すように、側板３０は、スリットＳ３１，Ｓ３２，Ｓ３３を備える。
スリットＳ３１は、下板１０のスリットＳ１１に対応した位置に設けられている。スリットＳ３１は、下板１０の手前側Ｙ１の縁部から奥側Ｙ２に向かって設けられている。スリットＳ３１は、設置面９１（つまり側板３０の下辺）に平行である。
スリットＳ３２は、上板２０のスリットＳ２２に対応した位置に設けられている。スリットＳ３２は、手前側Ｙ１の縁部から奥側Ｙ２に傾斜して設けられている。この傾斜は、上板２０の取り付け角度に対応している。
スリットＳ３３は、背板４０のスリットＳ４３に対応した位置に設けられている。スリットＳ３３は、奥側Ｙ２の縁部から手前側Ｙ１に傾斜して設けられている。この傾斜は、背板４０の取り付け角度に対応している。
【００３０】
各部材１０，２０，３０，４０は、上記スリットＳ１１，Ｓ２２，Ｓ３１，Ｓ３２，Ｓ４３によって、以下のように取り付けられる。
図２、図５（Ａ）に示すように、下板１０は、２つの側板３０に係合することにより保持される。
すなわち、下板１０は、下板１０のスリットＳ１１が側板３０に挿入されることにより、側板３０に対して左右方向Ｘの位置決めがされる。また、下板１０は、側板３０のスリットＳ３１が下板１０に挿入されることにより、側板３０に対して鉛直方向Ｚの位置決めがされる。さらに、下板１０は、スリットＳ１１，Ｓ３１の奥部同士が当接することにより（当接部３１ａ参照）、側板３０に対して奥行方向Ｙの位置決めがされる。
【００３１】
図２、図５（Ｂ）に示すように、上板２０は、２つの側板３０に係合することにより保持される。
すなわち、上板２０は、下板１０と同様に、上板２０のスリットＳ２２によって、側板３０に対して左右方向Ｘの位置決めがされ、また、側板３０のスリットＳ３２によって側板３０に対して略鉛直方向Ｚの位置決めがされる。さらに、上板２０は、スリットＳ２２，Ｓ３２の奥部同士が当接することにより（当接部３２ａ参照）、側板３０に対して奥行方向Ｙの位置決めがされる。
【００３２】
図２、図５（Ｃ）に示すように、背板４０は、２つの側板３０に係合することにより保持される。
すなわち、背板４０は、２つの側板３０のスリットＳ３３に挿入されることにより、側板３０に対して奥行方向Ｙに回転しないように規制される。また、背板４０は、背板４０のスリットＳ４３が、側板３０に挿入されることにより、側板３０に対して左右方向Ｘの位置決めがされる。背板４０は、スリットＳ４３の奥部同士が当接することにより（当接部３３ａ参照）、又は背板４０の下端が下板１０に当接することにより、鉛直方向Ｚの位置決めがされる。
【００３３】
ここで、図５（Ｃ）に示すように、背板４０を通る断面位置では、左右方向Ｘにおいて、下板１０のスリットＳ１１の中心と、背板４０のスリットＳ４３の中心とは、同じ位置であり、かつ、側板３０の中心の位置に一致にしている。これにより、スリットＳ１１，Ｓ４３は、一体のスリットＳ３５（図５（Ｃ）の太線部）を形成する。側板３０は、鉛直方向Ｚに長いこのスリットＳ３５に挿入された形態になる。
側板３０は、このスリットＳ３５の内壁に当接することにより、略奥行方向Ｙの軸回り（図５（Ｃ）の矢印θ３１方向）に回転しないように規制される。
つまり、２つの側板３０は、背板４０が取り付けられることにより、略奥行方向Ｙの軸回りに回転しないように、規制されるわけである。
【００３４】
このように、２つの側板３０が左右方向Ｘに移動しないように、かつ、左右方向Ｘに回転移動しないように規制されることにより、下板１０、上板２０は、２つの側板３０からの脱落が抑制される。
この脱落の抑制について説明する。
２つの側板３０は、このように規制されることにより、手前側Ｙ１に至る程間隔が広くなる状態（図５（Ａ）の状態）を、安定して維持できる。また、上板２０のスリットＳ２２は、２つの側板３０に配置に合わせて、奥側Ｙ２の縁部から手前側Ｙ１に至る程外側に至るように設けられている。
【００３５】
図５（Ａ）に示すように、このため、上板２０が手前側Ｙ１に移動しようとすると（矢印Ａ参照）、スリットＳ２２の左右方向Ｘ外側の内壁は、２つの側板３０の外側の壁部３０ａ（図５（Ａ）に太線で示す）に押さえられる。これにより、上板２０は、２つの側板３０から脱落しないように規制される。
図５（Ｂ）に示すように、下板１０及び２つの側板３０についても、上板２０及び２つの側板３０と同様に作用する。すなわち、下板１０のスリットＳ１１が２つの側板３０に挿入されることにより、２つの側板３０の外側の壁部３０ａ（図５（Ｂ）に太線で示す）に押さえられる。これにより、下板１０は、手前側Ｙ１に移動しようとしても（矢印Ｂ参照）、２つの側板３０から脱落しないように規制される。
このように、２つの側板３０の壁部３０ａは、上板２０、下板１０を、２つの側板３０から脱落しないように規制するストッパとして機能する。
【００３６】
［組み立て手順］
図６は、第１実施形態のスタンド１を組み立てる工程を説明する図である。
図６（Ａ）は、２つの側板３０を下板１０に取り付けた状態の斜視図である。
図６（Ｂ）は、図６（Ａ）の状態から、上板２０を取り付けた状態の斜視図である。
図６（Ｃ）は、側板３０を下板１０に取り付けた状態において、側板３０及び下板１０の係合部を説明する断面図（図５（Ｃ）と同様な断面図）である。
スタンド１は、板材セットの各部材を、上記スリットを用いて組み立てることにより、完成できる。板材セットは、組み立て前の状態の上板２０、下板１０、２つの側板３０、背板４０の組み合わせである。
【００３７】
組み立て手順の一例について説明する。
作業者（音出力端末９０の所有者等）は、以下の手順に従って、スタンド１を組み立てることができる。
（１）側板３０の下板１０への取り付け工程♯１（図２参照）
下板１０を側板３０の手前側Ｙ１から、側板３０に取り付ける。この場合、下板１０のスリットＳ１１及び側板３０のスリットＳ３１の位置を合わせて差し込むようにして、２つの側板３０及び下板１０を係合させる。
図６（Ａ）に示すように、この状態のスタンド１は、設置面９１に自立できる。このため、作業者がスタンド１から手を離しても、スタンド１は、倒れたりすることはない。
図６（Ｃ）に示すように、但し、スリットＳ１１の幅Ｌ１１は、側板３０の厚みｔ３０よりも少し大きい。このため、背板４０が取り付けられていない状態では、側板３０は、図中二点鎖線で示すように、下板１０のスリットＳ１１の内壁に当接する範囲（つまり、下板１０及び側板３０の間の係合部の構造に対応した角度の範囲）だけ、下板１０に対して、略奥行方向Ｙの軸回りに回転するように動くことができる。
【００３８】
（２）上板２０の取り付け工程♯２（図２、図６（Ａ）、図６（Ｂ）参照）
上板２０を側板３０の手前側Ｙ１から、側板３０に取り付ける。この場合、上板２０のスリットＳ２２及び側板３０のスリットＳ３２の位置を合わせて差し込むようにして、２つの側板３０及び上板２０を係合させる。
この場合、側板３０は、手前側Ｙ１に至る程間隔が広くなるので（図５（Ａ）参照）、左右方向Ｘにおいて、側板３０の挿入部分の間の長さＬ３２と、上板２０のスリットＳ２２の後端の間の長さＬ２２とは、一致しない。つまり、側板３０の挿入部分の間の長さＬ３２の方が、上板２０のスリットＳ２２の後端の間の長さＬ２２よりも大きい。このため、図６（Ａ）のように側板３０が直立した状態では、上板２０のスリットＳ２２は、側板３０に差し込むことはできない。
【００３９】
ここで、上記（１）で説明したように、側板３０は、下板１０に対してある程度の幅をもって回転可能である。このため、作業者は、側板３０を回転させて動かすことにより、側板３０の挿入部分の間の長さＬ３２と、上板２０のスリットＳ２２の後端の間の長さＬ２２とを、同じにすることができる。これにより、作業者は、上板２０のスリットＳ２２を側板３０に挿入することができる。なお、下板１０のスリットＳ１１の幅Ｌ１１は、長さＬ２２及び長さＬ３２が同じなる程度に、側板３０の回転を許容する大きさであればよい。
また、この場合、側板３０のスリットＳ３２は、容易に目視することができる。つまり、側板３０のスリットＳ３２は、下板１０によって目隠しされていない。このため、上板２０のスリットＳ２２及び側板３０のスリットＳ３２を互いに差し込む作業は、側板３０を回転しながら行う必要があっても、容易である。
なお、下板１０及び側板３０の間は、積極的に回転する必要はない。実施形態とは異なり、下板１０のスリットＳ１１の内壁及び側板３０の間のクリアランスが十分に大きい形態であれば、これらは、積極的に回転する。しかし、この形態では、組み立てたスタンド１のガタが大きくなってしまう。このため、側板３０は、組み立てに必要な程度のクリアランスに応じた程度の回転角度分、回転できればよい。
【００４０】
（３）背板４０の取り付け工程
背板４０を、側板３０の上側Ｚ２から２つの側板３０に取り付ける。この場合、背板４０のスリットＳ４３及び側板３０のスリットＳ３３を互いに差し込むようにして、２つの側板３０及び背板４０を係合させる。
背板４０が２つの側板３０に取り付けられることにより、前述したように、下板１０、上板２０は、２つの側板３０からの脱落が抑制される。
【００４１】
このように、スタンド１は、背板４０、下板１０、上板２０、２つの側板３０が別部品であるので、組み立て前の状態がコンパクトである。これにより、スタンド１は、保管時、輸送時等の取扱いが容易である。また、スタンド１は、板材セットの状態で音出力端末９０の所有者等に提供する場合でも、所有者等が容易に組み立てることができる。
なお、組み立てられたスタンド１の分解は、上記工程♯１〜♯３とは逆の工程に従えばよく、作業が容易である。
このように、スタンド１は、背板４０、下板１０、上板２０、２つの側板３０が、容易に着脱可能である。
【００４２】
以上説明したように、本実施形態のスタンド１は、スピーカ９０ａの位置が特定の位置の音出力端末９０に限定されることなく、スピーカ９０ａの位置が一般的な配置の音出力端末９０に対応することができる。また、組み立て前の状態がコンパクトであるので、保管時、輸送時等の利便性がよい。
【００４３】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図７は、第２実施形態のスタンド２０１を説明する図である。
図７（Ａ）は、下板２１０、２つの側板２３０の分解斜視図である。
図７（Ｂ）は、側板２３０を下板２１０に取り付けた状態において、側板２３０及び下板２１０の係合部を説明する断面図である（図６（Ｃ）と同様な断面図）。
なお、第２実施形態の背板、上板は、第１実施形態と同様であるので、図示、詳細な説明を省略する。
【００４４】
下板２１０は、４つの圧入孔２１１を備える。圧入孔２１１は、側板２３０の足部２３１が圧入される貫通孔である。
側板２３０は、足部２３１を備える。足部２３１の外形は、下板２１０の圧入孔２１１に対応した位置に配置されている。足部２３１の長さは、下板２１０の厚さよりも長い。足部２３１の外形は、下板２１０の圧入孔２１１よりも少し大きい。
【００４５】
側板２３０の足部２３１が下板２１０の圧入孔２１１に圧入されることにより、側板２３０は、下板２１０に取り付けられる（工程♯２０１）。足部２３１の下端は、設置面（図示せず）に接地する。
図７（Ｂ）に示すように、その後、上板を側板２３０に取り付ける工程では、作業者は、側板２３０を、略奥行方向Ｙの軸回りに撓ませる（二点鎖線参照）。これにより、作業者は、第１実施形態と同様に、側板２３０の挿入部分の間の長さＬ３２と、上板２０のスリットＳ２２の後端の間の長さＬ２２とを、同じにすることができる（図５（Ａ）参照）。
【００４６】
以上説明したように、本実施形態のスタンド２０１は、足部２３１を圧入孔２１１に圧入することにより、側板２３０を下板２１０に取り付ける構成であっても、第１実施形態と同様な効果を奏する。
【００４７】
（第３実施形態）
次に、本発明の第３実施形態について説明する。
図８は、第３実施形態のスタンド３０１を説明する図である。
図８（Ａ）は、音増大部３１０、背板３４０の分解斜視図である。
図８（Ｂ）は、音増大部３１０を折り畳んだ状態を、手前側から見た図である。
図８（Ａ）に示すように、音増大部３１０は、紙材等を貼り合わせて、一体に形成されている。すなわち、音増大部３１０は、分離できる形態ではない。
音増大部３１０の手前側の部分は、筒状に形成されている。この筒状の部分が、メガフォン部３６０である。
音増大部３１０は、４つの板材が組み合わされたような形態である。音増大部３１０を手前側Ｙ１から見た断面形状は、長方形である。
背板３４０は、音増大部３１０のスリットＳ３３３に挿入（係合）されることにより、音増大部３１０に取り付けられる。
【００４８】
図８（Ｂ）に示すように、音増大部３１０は、平らに折り畳むことができる。このように、スタンド３０１は、音増大部３１０及び背板３４０を別部品にし、また、音増大部３１０を前述したように４つの板材を組み合わせたような形態にすることにより、音増大部３１０をコンパクトに折り畳むことができる。
【００４９】
以上説明したように、本実施形態のスタンド３０１は、音増大部３１０が一体に形成された構成でも、コンパクトに分離することができる。このため、スタンド３０１は、保管時、輸送時等の利便性を向上できる。
【００５０】
以上、本発明の実施形態について説明したが、本発明は前述した実施形態に限定されるものではなく、種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態は、適宜組み合わせて用いることもできるが、詳細な説明は省略する。
【符号の説明】
【００５１】
１，２０１，３０１…スタンド
１０，２１０…下板
２０…上板
３０，２３０…側板
４０，３４０…背板
５０，３５０…収容穴
６０，３６０…メガフォン部
９０，９０Ａ，９０Ｂ，９０Ｃ…音出力端末
９０ａ…スピーカ
９１…設置面
２１１…圧入孔
２３１…足部
３１０…音増大部
【図１】
0006379861.tif 000002
【図２】
0006379861.tif 000003
【図３】
0006379861.tif 000004
【図４】
0006379861.tif 000005
【図５】
0006379861.tif 000006
【図６】
0006379861.tif 000007
【図７】
0006379861.tif 000008
【図８】
0006379861.tif 000009